(57)【要約】【課題】  端末機に２つのカメラモジュールが装着された場合、各カメラモジュールを制御するための回路の設計を簡素化できる移動通信端末機の映像信号処理装置及び方法を提供する。【解決手段】  移動通信端末機の映像信号処理装置は、被写体を撮影する第１及び第２のカメラモジュール１００、１０１と、使用者が選択した撮影モードによって、スイッチ制御信号と前記第１及び第２のカメラモジュール１００、１０１を制御するための制御信号を出力し、映像信号をデジタル信号に処理するデジタル信号処理部１０２と、前記デジタル信号処理部１０２の制御信号を前記第１及び第２のカメラモジュール１００、１０１に分配し、前記デジタル信号処理部１０２のスイッチ制御信号によって、前記第１及び第２のカメラモジュール１００、１０１で撮影された映像信号を前記デジタル信号処理部１０２に選択して出力するスイッチモジュール１０４とを含む。【選択図】  図１
2006042346.tif 000002
【特許請求の範囲】
【請求項１】
被写体を撮影する複数のカメラモジュールと、
撮影モードによってスイッチ制御信号と前記複数のカメラモジュールを制御するための制御信号を出力し、映像信号をデジタル信号に処理するデジタル信号処理部と、
前記スイッチ制御信号によって、前記複数のカメラモジュールで撮影された映像信号を前記デジタル信号処理部に選択して出力するスイッチモジュールと、
を含むことを特徴とする移動通信端末機の映像信号処理装置。
【請求項２】
使用者が選択した撮影モードによって前記デジタル信号処理部を制御し、前記デジタル信号処理部から入力されたデジタル映像信号を処理する制御部をさらに含むことを特徴とする請求項１に記載の移動通信端末機の映像信号処理装置。
【請求項３】
前記撮影モードが、一般カメラモード及びテレビ電話モードであることを特徴とする請求項１に記載の移動通信端末機の映像信号処理装置。
【請求項４】
第１のカメラモジュールが端末機の外部方向の被写体を撮影するために使用され、第２のカメラモジュールが端末機の内部方向の被写体を撮影するために使用されることを特徴とする請求項１に記載の移動通信端末機の映像信号処理装置。
【請求項５】
第１のカメラモジュールが一般カメラモードで動作し、第２のカメラモジュールがテレビ電話モードで動作することを特徴とする請求項１に記載の移動通信端末機の映像信号処理装置。
【請求項６】
第１及び第２のカメラモジュールが、両方とも一般カメラモード／テレビ電話モードで動作することを特徴とする請求項１に記載の移動通信端末機の映像信号処理装置。
【請求項７】
使用者が前記一般カメラモード／テレビ電話モードのうち一般カメラモードを選択すると、前記第１のカメラモジュールが自動で選択され、さらにその状態から前記第１又は第２のカメラモジュールを選択して撮影動作を行うことを特徴とする請求項６に記載の移動通信端末機の映像信号処理装置。
【請求項８】
使用者が前記一般カメラモード／テレビ電話モードのうちテレビ電話モードを選択すると、前記第２のカメラモジュールが自動で選択され、さらにその状態から前記第１又は第２のカメラモジュールを選択して撮影動作を行うことを特徴とする請求項６に記載の移動通信端末機の映像信号処理装置。
【請求項９】
前記スイッチモジュールがフレキシブルプリント基板上に位置することを特徴とする請求項１に記載の移動通信端末機の映像信号処理装置。
【請求項１０】
前記撮影された映像信号が静止画像又は動画像であることを特徴とする請求項１に記載の移動通信端末機の映像信号処理装置。
【請求項１１】
前記スイッチモジュールが、前記スイッチ制御信号によって、第１及び第２のカメラモジュールで撮影された映像信号を前記デジタル信号処理部に選択して出力するスイッチで構成されることを特徴とする請求項１に記載の移動通信端末機の映像信号処理装置。
【請求項１２】
複数のカメラモジュールを備えた移動通信端末機において、
撮影モードの選択によって前記複数のカメラモジュールを制御するための制御信号を出力する段階と、
前記制御信号を前記複数のカメラモジュールに分配する段階と、
前記制御信号によって前記複数のカメラモジュールで撮影された映像信号を選択して出力する段階と、
を含むことを特徴とする移動通信端末機の映像信号処理方法。
【請求項１３】
前記制御信号が、前記複数のカメラモジュールのいずれか１つを選択する制御信号であることを特徴とする請求項１２に記載の移動通信端末機の映像信号処理方法。
【請求項１４】
前記制御信号が、前記複数のカメラモジュールで撮影された映像信号のいずれか１つを出力するためのスイッチモジュールを制御するためのスイッチモジュール制御信号であることを特徴とする請求項１２に記載の移動通信端末機の映像信号処理方法。
【請求項１５】
前記撮影モードが、一般カメラモード及びテレビ電話モードのいずれか１つであることを特徴とする請求項１２に記載の移動通信端末機の映像信号処理方法。
【請求項１６】
第１のカメラモジュールが端末機の外部方向の被写体を撮影するために使用され、第２のカメラモジュールが端末機の内部方向の被写体を撮影するために使用されることを特徴とする請求項１２に記載の移動通信端末機の映像信号処理方法。
【請求項１７】
第１のカメラモジュールが一般カメラモードで動作し、第２のカメラモジュールがテレビ電話モードで動作することを特徴とする請求項１２に記載の移動通信端末機の映像信号処理方法。
【請求項１８】
複数のカメラモジュールを備えた移動通信端末機において、
使用者が１つの撮影モードを選択すると、制御信号と第１のスイッチ制御信号を出力する段階と、
前記制御信号を第１及び第２のカメラモジュールに分配し、前記第１のスイッチ制御信号によって前記第１又は第２のカメラモジュールで撮影された第１の映像信号を出力する段階と、
前記撮影モードで使用者が再び前記第１及び第２のカメラモジュールのいずれか１つを選択すると、第２のスイッチ制御信号を出力する段階と、
前記第２のスイッチ制御信号によって前記第１又は第２のカメラモジュールで撮影された第２の映像信号を出力する段階と、
を含むことを特徴とする移動通信端末機の映像信号処理方法。
【請求項１９】
前記１つの撮影モードが、一般カメラモード及びテレビ電話モードのいずれか１つであることを特徴とする請求項１８に記載の移動通信端末機の映像信号処理方法。
【請求項２０】
前記第１及び第２のカメラモジュールが、両方とも一般カメラモード／テレビ電話モードで動作することを特徴とする請求項１８に記載の移動通信端末機の映像信号処理方法。
【請求項２１】
使用者が前記一般カメラモード／テレビ電話モードのうち一般カメラモードを選択すると、前記第１のカメラモジュールが自動で選択され、さらにその状態から前記第１又は第２のカメラモジュールを選択して撮影動作を行うことを特徴とする請求項２０に記載の移動通信端末機の映像信号処理方法。
【請求項２２】
使用者が前記一般カメラモード／テレビ電話モードのうちテレビ電話モードを選択すると、前記第２のカメラモジュールが自動で選択され、さらにその状態から前記第１又は第２のカメラモジュールを選択して撮影動作を行うことを特徴とする請求項２０に記載の移動通信端末機の映像信号処理方法。
【請求項２３】
前記第１及び第２のスイッチ制御信号が、同一に又は異なるように設定されることを特徴とする請求項１８に記載の移動通信端末機の映像信号処理方法。
【請求項２４】
前記第１の映像信号が静止画像信号又は動画像信号であり、前記第２の映像信号が静止画像信号であることを特徴とする請求項１８に記載の移動通信端末機の映像信号処理方法。
【発明の詳細な説明】
【技術分野】
【０００１】
本発明は、移動通信端末機に関し、特に、デュアルカメラ付き移動通信端末機における映像信号処理装置及び方法に関する。
【背景技術】
【０００２】
移動通信技術の発達と消費者の欲求の増大につれて多様な機能を有する移動通信端末機が市販されているが、近来、カメラ付き移動通信端末機が爆発的な人気を集めている。
【０００３】
図３は、従来のカメラ付き移動通信端末機を示す図である。
【０００４】
図３に示すように、カメラモジュール１０は、移動通信端末機のヒンジ部に装着され、図示していないが、上側筐体１２に装着することもできる。カメラモジュール１０のレンズは、端末機を開いた状態では撮影する被写体に向き、つまみ１１の回動によって前後に移動する。従って、使用者は、端末機のカメラ撮影機能を選択した後、つまみ１１を利用してレンズが撮影する被写体に向くようにして撮影動作を行う。
【０００５】
図４は、カメラ撮影時のカメラモジュール１０とデジタル信号処理部（Ｄｉｇｉｔａｌ  Ｓｉｇｎａｌ  Ｐｒｏｃｅｓｓｏｒ；以下、ＤＳＰと称する）１３間の信号の流れを示す。図４において、カメラモジュール１０とＤＳＰ１３間の信号ライン（データライン及び制御ライン）は、フレキシブルプリント基板（Ｆｌｅｘｉｂｌｅ  Ｐｒｉｎｔｅｄ  Ｃｉｒｃｕｉｔ  Ｂｏａｒｄ；以下、ＦＰＣＢと称す）を介して接続される。前記ＦＰＣＢは、厚さ１０μｍの薄い絶縁フィルム（ポリイミド（ＰＩ））上に銅箔を貼り付けた回路基板であって、通常、材質が薄くて曲がりやすい特性のため、高機能端末機の基板又はコネクタとして主に使用されている。
【０００６】
従って、使用者が撮影動作を開始すると、ＤＳＰ１３から出力された制御信号がＦＰＣＢの制御ラインを介してカメラモジュール１０に入力され、カメラモジュール１０は、該当制御信号によって被写体を撮影した後、撮影した映像データを前記ＦＰＣＢのデータラインを介してＤＳＰ１３に伝送する。次に、ＤＳＰ１３は、前記伝送された映像データをデジタルフォーマットのイメージデータに変換した後、必要に応じて保存及び伝送する。
【発明の開示】
【発明が解決しようとする課題】
【０００７】
ところが、従来の移動通信端末機は、１つのカメラモジュールのみを装着しているため、カメラモジュールとＤＳＰ間の信号線及び信号の制御が複雑でないが、今後、テレビ電話や使用者の要求により１つの端末機に２つのカメラが装着される場合、回路の設計及び制御が複雑になる。
【０００８】
例えば、折り畳み型端末機（端末機の上側筐体）に２つのカメラモジュール、即ち、撮影用カメラモジュール（カメラモジュール１）とテレビ電話用カメラモジュール（カメラモジュール２）が装着される場合を仮定する。図５に示すように、２つのカメラモジュールが装着される場合、カメラモジュールとＤＳＰ間の信号線及びコネクタピンの数は、図４に示す１つのカメラモジュールが装着される場合に比べて２倍程度必要であり、制御方法もさらに複雑になる。特に、前記信号線が形成されるＦＰＣＢは、部品が高価であるため、前記信号線及びコネクタピンの数が増加するとパターンの数が増加して、生産コストもそれだけ増加する。
【０００９】
本発明は、このような従来技術の問題点を解決するためになされたもので、２つのカメラモジュールを装着する場合に適した、高効率及び低コストの信号線の設計及び制御方法を提供することを目的とする。
【課題を解決するための手段】
【００１０】
上記の目的を達成するために、本発明による移動通信端末機の映像信号処理装置は、被写体を撮影する第１及び第２のカメラモジュールと、前記第１及び第２のカメラモジュールの各動作を制御し、前記第１及び第２のカメラモジュールで撮影された映像信号を処理するデジタル信号処理部と、前記デジタル信号処理部から入力された制御信号を前記第１及び第２のカメラモジュールに分配し、前記第１及び第２のカメラモジュールで撮影された映像信号を前記デジタル信号処理部に選択して出力するスイッチモジュール（スイッチチップ）とを含む。
【００１１】
上記の目的を達成するために、第１のカメラモジュールと、前記第１のカメラモジュールの動作を制御し前記第１のカメラモジュールで撮影された映像信号を処理して制御部に出力するデジタル信号処理部とを含む移動通信端末機において、本発明による移動通信端末機の映像信号処理方法は、第２のカメラモジュールが装着されると、前記第１のカメラモジュールと前記デジタル信号処理部間の信号ラインをスイッチチップを介して接続し、前記スイッチチップを利用して前記第１及び第２のカメラモジュールを制御するための制御信号を分配し、前記第１及び第２のカメラモジュールで撮影された映像信号を前記デジタル信号処理部に選択して出力することを特徴とする。
【００１２】
好ましくは、前記スイッチチップはＦＰＣＢ上に位置する。
【００１３】
好ましくは、前記第１のカメラモジュールは端末機の外部方向（使用者の反対側）の被写体を撮影するために使用され、前記第２のカメラモジュールは端末機の内部方向（使用者側）の被写体を撮影するために使用される。
【００１４】
好ましくは、前記第１のカメラモジュールは一般カメラモードで動作し、前記第２のカメラモジュールはテレビ電話モードで動作する。
【００１５】
好ましくは、前記第１及び第２のカメラモジュールが、両方とも一般カメラモード／テレビ電話モードで動作する。
【００１６】
好ましくは、使用者が前記一般カメラモード／テレビ電話モードのうち一般カメラモードを選択すると、前記第１のカメラモジュールが自動で選択され、さらにその状態から前記第１又は第２のカメラモジュールを選択して撮影動作を行う。
【００１７】
好ましくは、使用者が前記一般カメラモード／テレビ電話モードのうちテレビ電話モードを選択すると、前記第２のカメラモジュールが自動で選択され、さらにその状態から前記第１又は第２のカメラモジュールを選択して撮影動作を行う。
【００１８】
上記目的を達成するために、本発明は、例えば、以下の手段を提供する。
【００１９】
（項目１）  被写体を撮影する複数のカメラモジュールと、
撮影モードによってスイッチ制御信号と前記複数のカメラモジュールを制御するための制御信号を出力し、映像信号をデジタル信号に処理するデジタル信号処理部と、
前記スイッチ制御信号によって、前記複数のカメラモジュールで撮影された映像信号を前記デジタル信号処理部に選択して出力するスイッチモジュールと、
を含むことを特徴とする移動通信端末機の映像信号処理装置。
【００２０】
（項目２）  使用者が選択した撮影モードによって前記デジタル信号処理部を制御し、前記デジタル信号処理部から入力されたデジタル映像信号を処理する制御部をさらに含むことを特徴とする項目１に記載の移動通信端末機の映像信号処理装置。
【００２１】
（項目３）  前記撮影モードが、一般カメラモード及びテレビ電話モードであることを特徴とする項目１に記載の移動通信端末機の映像信号処理装置。
【００２２】
（項目４）  第１のカメラモジュールが端末機の外部方向の被写体を撮影するために使用され、第２のカメラモジュールが端末機の内部方向の被写体を撮影するために使用されることを特徴とする項目１に記載の移動通信端末機の映像信号処理装置。
【００２３】
（項目５）  第１のカメラモジュールが一般カメラモードで動作し、第２のカメラモジュールがテレビ電話モードで動作することを特徴とする項目１に記載の移動通信端末機の映像信号処理装置。
【００２４】
（項目６）  第１及び第２のカメラモジュールが、両方とも一般カメラモード／テレビ電話モードで動作することを特徴とする項目１に記載の移動通信端末機の映像信号処理装置。
【００２５】
（項目７）  使用者が前記一般カメラモード／テレビ電話モードのうち一般カメラモードを選択すると、前記第１のカメラモジュールが自動で選択され、さらにその状態から前記第１又は第２のカメラモジュールを選択して撮影動作を行うことを特徴とする項目６に記載の移動通信端末機の映像信号処理装置。
【００２６】
（項目８）  使用者が前記一般カメラモード／テレビ電話モードのうちテレビ電話モードを選択すると、前記第２のカメラモジュールが自動で選択され、さらにその状態から前記第１又は第２のカメラモジュールを選択して撮影動作を行うことを特徴とする項目６に記載の移動通信端末機の映像信号処理装置。
【００２７】
（項目９）  前記スイッチモジュールがフレキシブルプリント基板上に位置することを特徴とする項目１に記載の移動通信端末機の映像信号処理装置。
【００２８】
（項目１０）  前記撮影された映像信号が静止画像又は動画像であることを特徴とする項目１に記載の移動通信端末機の映像信号処理装置。
【００２９】
（項目１１）  前記スイッチモジュールが、前記スイッチ制御信号によって、第１及び第２のカメラモジュールで撮影された映像信号を前記デジタル信号処理部に選択して出力するスイッチで構成されることを特徴とする項目１に記載の移動通信端末機の映像信号処理装置。
【００３０】
（項目１２）  複数のカメラモジュールを備えた移動通信端末機において、
撮影モードの選択によって前記複数のカメラモジュールを制御するための制御信号を出力する段階と、
前記制御信号を前記複数のカメラモジュールに分配する段階と、
前記制御信号によって前記複数のカメラモジュールで撮影された映像信号を選択して出力する段階と、
を含むことを特徴とする移動通信端末機の映像信号処理方法。
【００３１】
（項目１３）  前記制御信号が、前記複数のカメラモジュールのいずれか１つを選択する制御信号であることを特徴とする項目１２に記載の移動通信端末機の映像信号処理方法。
【００３２】
（項目１４）  前記制御信号が、前記複数のカメラモジュールで撮影された映像信号のいずれか１つを出力するためのスイッチモジュールを制御するためのスイッチモジュール制御信号であることを特徴とする項目１２に記載の移動通信端末機の映像信号処理方法。
【００３３】
（項目１５）  前記撮影モードが、一般カメラモード及びテレビ電話モードのいずれか１つであることを特徴とする項目１２に記載の移動通信端末機の映像信号処理方法。
【００３４】
（項目１６）  第１のカメラモジュールが端末機の外部方向の被写体を撮影するために使用され、第２のカメラモジュールが端末機の内部方向の被写体を撮影するために使用されることを特徴とする項目１２に記載の移動通信端末機の映像信号処理方法。
【００３５】
（項目１７）  第１のカメラモジュールが一般カメラモードで動作し、第２のカメラモジュールがテレビ電話モードで動作することを特徴とする項目１２に記載の移動通信端末機の映像信号処理方法。
【００３６】
（項目１８）  複数のカメラモジュールを備えた移動通信端末機において、
使用者が１つの撮影モードを選択すると、制御信号と第１のスイッチ制御信号を出力する段階と、
前記制御信号を第１及び第２のカメラモジュールに分配し、前記第１のスイッチ制御信号によって前記第１又は第２のカメラモジュールで撮影された第１の映像信号を出力する段階と、
前記撮影モードで使用者が再び前記第１及び第２のカメラモジュールのいずれか１つを選択すると、第２のスイッチ制御信号を出力する段階と、
前記第２のスイッチ制御信号によって前記第１又は第２のカメラモジュールで撮影された第２の映像信号を出力する段階と、
を含むことを特徴とする移動通信端末機の映像信号処理方法。
【００３７】
（項目１９）  前記１つの撮影モードが、一般カメラモード及びテレビ電話モードのいずれか１つであることを特徴とする項目１８に記載の移動通信端末機の映像信号処理方法。
【００３８】
（項目２０）  前記第１及び第２のカメラモジュールが、両方とも一般カメラモード／テレビ電話モードで動作することを特徴とする項目１８に記載の移動通信端末機の映像信号処理方法。
【００３９】
（項目２１）  使用者が前記一般カメラモード／テレビ電話モードのうち一般カメラモードを選択すると、前記第１のカメラモジュールが自動で選択され、さらにその状態から前記第１又は第２のカメラモジュールを選択して撮影動作を行うことを特徴とする項目２０に記載の移動通信端末機の映像信号処理方法。
【００４０】
（項目２２）  使用者が前記一般カメラモード／テレビ電話モードのうちテレビ電話モードを選択すると、前記第２のカメラモジュールが自動で選択され、さらにその状態から前記第１又は第２のカメラモジュールを選択して撮影動作を行うことを特徴とする項目２０に記載の移動通信端末機の映像信号処理方法。
【００４１】
（項目２３）  前記第１及び第２のスイッチ制御信号が、同一に又は異なるように設定されることを特徴とする項目１８に記載の移動通信端末機の映像信号処理方法。
【００４２】
（項目２４）  前記第１の映像信号が静止画像信号又は動画像信号であり、前記第２の映像信号が静止画像信号であることを特徴とする項目１８に記載の移動通信端末機の映像信号処理方法。
【発明の効果】
【００４３】
本発明による移動通信端末機の映像信号処理装置及び方法においては、２つのカメラモジュールが装着された場合、各カメラモジュールをＦＰＣＢ上の１つのスイッチモジュールを介してＤＳＰに接続することにより、各カメラモジュールを制御するための回路の設計を簡素化して生産コストを削減できるという効果がある。特に、このような接続構造は、制御信号又は映像信号の送受信に要求される信号線の数を大幅に減らし、データの送受信時、信号線から発生し得るノイズを抑制するので、製品の信頼性を大幅に向上できるという効果がある。
【００４４】
また、本発明は、テレビ電話モードでも端末機の内部又は外部方向の被写体を撮影して保存及び伝送することができ、一般カメラモードでも端末機の内部又は外部方向の被写体を撮影して保存及び伝送することができるという効果がある。
【発明を実施するための最良の形態】
【００４５】
以下、図面を参照して、本発明による移動通信端末機の映像信号処理装置及び方法の好ましい実施形態を説明する。
【００４６】
本発明は、２つのカメラモジュールが装着された移動通信端末機を提案し、特に、２つのカメラモジュールが装着された場合、１つのカメラモジュールが装着された場合と同様の手間で制御できる回路の設計及び制御方法を提案する。
例えば、２つのカメラモジュールを装着する場合、各カメラモジュールの信号線は、コネクタとＦＰＣＢを介してＤＳＰに接続される。この場合、本発明においては、１つのカメラモジュールを適用する際と同数の信号線をコネクタとＦＰＣＢを介してＤＳＰに接続し、前記ＦＰＣＢ上に位置したスイッチチップを利用して制御信号を２つのカメラモジュールにそれぞれ分配することにより、１つのカメラモジュールを使用した際と同様の方法で２つのカメラモジュールを制御する。
【００４７】
このような本発明による回路の設計を行う場合は、相対的にピン数の少ないコネクタを使用することができ、少ない数のパターンを使用することによりＦＰＣＢのコストを削減することができ、何よりも、技術的実現が容易であるという利点がある。
【００４８】
図１は、本発明によるデュアルカメラ付き移動通信端末機の映像信号処理装置の構成を示すブロック図である。
【００４９】
図１に示すように、本発明による移動通信端末機の映像信号処理装置は、第１及び第２のカメラモジュール１００、１０１と、ＤＳＰ１０２と、各種の制御動作を行う制御部１０３と、第１及び第２のカメラモジュール１００、１０１とＤＳＰ１０２の間に位置し、制御部１０３の制御信号を第１及び第２のカメラモジュール１００、１０１にスイッチングし、第１及び第２のカメラモジュール１００、１０１で撮影された映像信号をＤＳＰ１０２にスイッチングするスイッチモジュール１０４と、キー入力部１０６と、撮影された映像及び端末機の各種動作を表示する表示部１０５と、映像データを送受信する通信モジュール１０７とを含む。
【００５０】
第１及び第２のカメラモジュール１００、１０１は、特定撮影モードで個別に使用できるカメラモジュールであり、それぞれ異なる方向の被写体を撮影するために使用される。例えば、第１のカメラモジュール１００は、端末機の外部方向の被写体を撮影するために使用され、第２のカメラモジュール１０１は、端末機の内部方向の被写体を撮影するために使用される。
【００５１】
好ましくは、第１及び第２のカメラモジュール１００、１０１は、異なる撮影モード又は同じ撮影モードで使用することができる。例えば、第１のカメラモジュール１００は一般カメラモードで、第２のカメラモジュール１０１はテレビ電話モードで動作するようにしてもよく、第１及び第２のカメラモジュール１００、１０１が両方とも一般カメラモード／テレビ電話モードで動作するようにしてもよい。
【００５２】
ＤＳＰ１０２は、制御部１０３から出力された制御信号を第１及び第２のカメラモジュール１００、１０１に伝送し、スイッチモジュール１０４を介して各カメラモジュール１００、１０１から受信した映像信号をイメージデータに変換して制御部１０３に出力する。
【００５３】
図２は、第１及び第２のカメラモジュール１００、１０１、スイッチモジュール１０４、ＤＳＰ１０２間の信号線の接続関係を示す図である。
【００５４】
図２に示すように、スイッチモジュール１０４は、ＤＳＰ１０２から出力されたスイッチ制御信号によって、第１及び第２のカメラモジュール１００、１０１で撮影された各映像信号をＤＳＰ１０２にスイッチングするスイッチ５０を含み、スイッチ５０を中心とする信号線はＦＰＣＢを利用して接続される。従って、１つ以上のカメラモジュールが装着された場合、スイッチモジュール１０４とＤＳＰ１０２間に接続される信号線の数を１つのカメラモジュールを使用する場合と同様に維持することにより、信号線の増加によるコスト及びノイズの増加を減らすことができる。
【００５５】
以下、このように構成されたデュアルカメラ付き移動通信端末機において、本発明による映像信号処理方法の第１実施形態を説明する。
【００５６】
本発明による移動通信端末機の映像信号処理方法の第１実施形態は、第１のカメラモジュールは一般カメラモードで使用され、第２のカメラモジュールはテレビ電話モードで使用される場合を示す。
【００５７】
まず、電源が供給されると、移動通信端末機は、ネックワークと基地局登録を行った後、待機状態となる。待機状態で使用者が被写体を撮影するためにキー入力部１０６により一般カメラモードを選択すると、制御部１０３は、使用者によるキーの入力を認識し、ＤＳＰ１０２に制御信号を出力する。好ましくは、前記一般カメラモードは、第１のカメラモジュール１００で被写体を撮影する撮影メニュー、撮影されたデータを編集する編集メニュー、撮影して保存されるか又は編集されたイメージデータを他の機器（例えば、端末機）に伝送する伝送メニューなどで構成される。本発明においては、使用者が撮影メニューを選択した場合を例に説明する。
【００５８】
制御部１０３から制御信号が入力されると、ＤＳＰ１０２は、制御ラインを介して第１のカメラモジュール１００に動作制御信号ＣＡＭ＿ＤＳＰ＿ＣＬＫ、ＣＡＭ＿ＲＳＴ、１２＿ＳＣＬ、１２＿ＳＤＡを出力すると共に、スイッチモジュール１０４にスイッチ制御信号を出力して、第１のカメラモジュール１００を選択する。
【００５９】
その後、使用者が第１のカメラモジュール１００を移動させて端末機の内部又は外部の被写体に向けて前記被写体を撮影すると、撮影された映像信号は、スイッチモジュール１０４を介してＤＳＰ１０２に出力される。
【００６０】
次に、ＤＳＰ１０２は、該当映像信号をイメージデータに変換して制御部１０３に出力し、制御部１０３は、ＤＳＰ１０２からのイメージデータを表示部１０５に表示すると共にメモリ（図示せず）に保存する。もし、使用者が前記撮影された映像を伝送しようとする場合、制御部１０３は、メモリに保存されたイメージデータを読み出して通信モジュール１０７に出力する。
【００６１】
これに対し、使用者がキー入力部１０６を操作してテレビ電話モードを選択すると、制御部１０３は、これを認識してＤＳＰ１０２に制御信号を出力する。ＤＳＰ１０２は、制御部１０３の制御信号によって第２のカメラモジュール１０１に動作制御信号ＣＡＭ＿ＤＳＰ＿ＣＬＫ、ＣＡＭ＿ＲＳＴ、１２＿ＳＣＬ、１２＿ＳＤＡを出力すると共に、スイッチモジュール１０４にスイッチ制御信号を出力して、第２のカメラモジュール１０１を選択する。
【００６２】
その後、使用者がテレビ電話を開始すると、第２のカメラモジュール１０１で撮影された動画像信号がスイッチモジュール１０４のスイッチ５０を介してＤＳＰ１０２に出力され、ＤＳＰ１０２は、該当動画像をイメージデータに変換して制御部１０３に出力する。また、前記動画像の入力中にマイクから入力された音声信号は、ＤＳＰ１０２によりデジタル信号に変換され、デジタル信号に変換された映像及び音声信号は、通信モジュール１０７により相手の端末機に伝送される。
【００６３】
前述したように、本発明による移動通信端末機の映像信号処理方法の第１実施形態は、２つのカメラモジュールが異なる通話モードで使用される場合に適用される。しかしながら、本発明は、２つのカメラモジュールが両方とも同じ通話モードで使用される場合にも有効な映像信号処理方法を提供することができる。
【００６４】
即ち、第１及び第２のカメラモジュール１００、１０１は、両方とも一般カメラモード／テレビ電話モードで使用することができる。この場合、第１及び第２のカメラモジュール１００、１０１は、それぞれ異なる方向の被写体を撮影するために使用される。例えば、第１のカメラモジュール１００は、端末機の外部方向の被写体を撮影するために使用され、第２のカメラモジュール１０１は、端末機の内部方向の被写体を撮影するために使用される。
【００６５】
従って、使用者が一般カメラモードを選択すると、第２のカメラモジュール１０１が自動で選択され、テレビ電話モードを選択すると、第１のカメラモジュール１００が自動で選択される。この状態で使用者は、再び第１及び第２のカメラモジュール１００、１０１を適宜選択して、テレビ電話モードで外部映像撮影を、又は一般カメラモードでセルフ撮影などを行うことができる。
【００６６】
以下、本発明による移動通信端末機の映像信号処理方法の第２実施形態を説明する。
【００６７】
使用者が一般カメラモードを選択すると、制御部１０３は、使用者によるキーの入力を認識してＤＳＰ１０２に制御信号を出力し、ＤＳＰ１０２は、制御ラインを介して第１のカメラモジュール１００に動作制御信号ＣＡＭ＿ＤＳＰ＿ＣＬＫ、ＣＡＭ＿ＲＳＴ、１２＿ＳＣＬ、１２＿ＳＤＡを出力し、スイッチモジュール１０４にスイッチ制御信号を出力する。これにより、使用者が一般カメラモードを選択すると、第１のカメラモジュール１００が自動で選択される。
【００６８】
この状態で使用者は、第１のカメラモジュール１００を利用して端末機の外部方向の被写体を撮影するか、又は第２のカメラモジュール１０１を利用して端末機の内部方向の被写体を撮影して保存及び伝送することができる。例えば、使用者が内部方向の被写体（自分の姿）を撮影するために第２のカメラモジュール１０１を選択すると、ＤＳＰ１０２は、制御部１０３の制御によってスイッチモジュール１０４に新しいスイッチ制御信号を出力することにより、一般通話モードでも、第２のカメラモジュール１０１で撮影された映像信号がスイッチモジュール１０４及びＤＳＰ１０２を通して制御部１０２に入力されるようにする。
【００６９】
次に、制御部１０３は、ＤＳＰ１０２から入力されたイメージデータを表示部１０５に表示すると共にメモリ（図示せず）に保存する。もし、使用者が前記撮影された映像を伝送しようとする場合、制御部１０３は、メモリに保存されたイメージデータを読み出して通信モジュール１０７に出力する。
【００７０】
これに対し、使用者がテレビ電話モードを選択すると、制御部１０３は、使用者によるキーの入力を認識してＤＳＰ１０２に制御信号を出力し、ＤＳＰ１０２は、制御ラインを介して第２のカメラモジュール１０１に動作制御信号ＣＡＭ＿ＤＳＰ＿ＣＬＫ、ＣＡＭ＿ＲＳＴ、１２＿ＳＣＬ、１２＿ＳＤＡを出力すると共に、スイッチモジュール１０４にスイッチ制御信号を出力する。このように、使用者がテレビ電話モードを選択すると、第２のカメラモジュール１０１が自動で選択される。
【００７１】
この状態で使用者は、第２のカメラモジュール１０１を利用して端末機の内部方向の被写体を撮影するか、又は第１のカメラモジュール１００を利用して端末機の外部方向の被写体を撮影して保存及び伝送することができる。例えば、使用者が端末機の外部方向の被写体を撮影するために第１のカメラモジュール１００を選択すると、ＤＳＰ１０２は、制御部１０３の制御によってスイッチモジュール１０４に新しいスイッチ制御信号を出力することにより、テレビ電話モードでも、第１のカメラモジュール１００で撮影された映像信号がスイッチモジュール１０４及びＤＳＰ１０２を通して制御部１０２に入力されるようにする。
【００７２】
次に、制御部１０３は、ＤＳＰ１０２から入力されたイメージデータを表示部１０５に表示すると共にメモリに保存する。もし、使用者が前記撮影された映像を伝送しようとする場合、制御部１０３は、メモリに保存されたイメージデータを読み出して通信モジュール１０７に出力する。
【００７３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００７４】
端末機に２つのカメラモジュールが装着された場合、各カメラモジュールを制御するための回路の設計を簡素化できる移動通信端末機の映像信号処理装置及び方法を提供する。
【００７５】
移動通信端末機の映像信号処理装置は、被写体を撮影する第１及び第２のカメラモジュール１００、１０１と、使用者が選択した撮影モードによって、スイッチ制御信号と前記第１及び第２のカメラモジュール１００、１０１を制御するための制御信号を出力し、映像信号をデジタル信号に処理するデジタル信号処理部１０２と、前記デジタル信号処理部１０２の制御信号を前記第１及び第２のカメラモジュール１００、１０１に分配し、前記デジタル信号処理部１０２のスイッチ制御信号によって、前記第１及び第２のカメラモジュール１００、１０１で撮影された映像信号を前記デジタル信号処理部１０２に選択して出力するスイッチモジュール１０４とを含む。
【図面の簡単な説明】
【００７６】
【図１】本発明によるデュアルカメラ付き移動通信端末機の映像信号処理装置の構成を示すブロック図である。
【図２】デュアルカメラモジュールとＤＳＰ間の信号線及び信号の流れを示す図である。
【図３】１つのカメラモジュールが装着された従来の移動通信端末機を示す図である。
【図４】従来の１つのカメラモジュールとＤＳＰ間の信号線及び信号の流れを示す図である。
【図５】従来の２つのカメラモジュールとＤＳＰ間の信号線及び信号の流れを示す図である。
【符号の説明】
【００７７】
５０  スイッチ
１００  第１のカメラモジュール
１０１  第２のカメラモジュール
１０２  ＤＳＰ（Ｄｉｇｉｔａｌ  Ｓｉｇｎａｌ  Ｐｒｏｃｅｓｓｏｒ）
１０３  制御部
１０４  スイッチモジュール
１０５  表示部
１０６  キー入力部
１０７  通信モジュール
【図１】
2006042346.tif 000003
【図２】
2006042346.tif 000004
【図３】
2006042346.tif 000005
【図４】
2006042346.tif 000006
【図５】
2006042346.tif 000007